(57)【要約】【課題】簡単かつコンパクトな構成で断熱容器内の液体を効率よく吸引して外部に注水することができ、しかもその耐久性および信頼性を向上させた注水装置を提供する。【解決手段】ポンプケーシング６内をモータ収納部６ａとロータ収納部６ｂとに区画しこれらの各収納部６ａ，６ｂ間を連通する挿通孔１０が形成された区画壁７と、モータ収納部６ａに配設され出力軸１１が挿通孔１０に挿通される電動モータ８と、ロータ収納部６ｂに配設され出力軸１１の先端部に固着されるインペラー９と、挿通孔１０と出力軸１１との間に形成された隙間をシールするシール部材１８とを備える。出力軸１１における区画壁７と電動モータ８のモータ本体２１との間にこの出力軸１１の全周に亘って水密状に装着され、出力軸１１の回転に伴って回転されるディフュジョン部材１７が設けられている。【選択図】　図２
2004052621.tif 000002
【特許請求の範囲】
【請求項１】
容器内に収容された液体を吸引して外部に注水する注水装置において、ポンプケーシング内をモータ収納部とロータ収納部とに区画しこれらの各収納部間を連通する挿通孔が形成された区画壁と、上記モータ収納部に配設され出力軸が上記挿通孔に挿通される電動モータと、上記ロータ収納部に配設され上記出力軸の先端部に固着されるインペラーと、上記挿通孔と出力軸との間に形成された隙間をシールするシール部材とを備え、上記出力軸における上記区画壁と上記電動モータのモータ本体との間にこの出力軸の全周に亘って水密状に装着され、上記出力軸により回転されるディフュジョン部材が設けられていることを特徴とする注水装置。
【請求項２】
請求項１記載の注水装置において、上記ディフュジョン部材は、プレート状に形成されていることを特徴とする注水装置。
【請求項３】
請求項１または請求項２記載の注水装置において、上記区画壁と上記モータ本体との間におけるポンプケーシングの周側壁には、１個ないし複数個の漏液排出孔が設けられていることを特徴とする注水装置。
【請求項４】
請求項３記載の注水装置において、上記漏液排出孔は、少なくともその一つが上記ディフュジョン部材に対位して形成されていることを特徴とする注水装置。
【請求項５】
請求項１ないし請求項４のいずれかに記載の注水装置において、上記ポンプケーシングが、上記出力軸と同軸の円筒状のモータハウジングと、このモータハウジングの前面に取付けられるロータハウジングとから構成される一方、上記ディフュジョン部材が正面視円形状に形成され、このディフュジョン部材の外周が上記モータハウジングの内周に略一致して形成されていることを特徴とする注水装置。
【請求項６】
請求項１ないし請求項５のいずれかに記載の注水装置において、上記シール部材がリング状のパッキン本体と、このパッキン本体の内周面に突設されたシール用のリップ部とを有し、このパッキン本体とリップ部との間にグリース剤が充填されていることを特徴とする注水装置。
【発明の詳細な説明】
【０００１】
【発明の属する技術分野】
本発明は、電動ポットの断熱容器内に収容された液体を外部に注水する電動ポンプを備えた注水装置に関するものである。
【０００２】
【従来の技術】
この種の注水装置には、インペラーとこのインペラーを回転させる電気モータとをシール用の隔壁によって隔離し、インペラーの背面に取付けられた従動マグネットと電気モータの出力軸に取付けられた駆動マグネットとの吸着力を利用してインペラーを回転させて断熱容器内の液体を吸引して外部に吐出させる遠心ポンプを備えたものがある。
【０００３】
しかしながら、上記構造の注水装置では、上記従動マグネットや駆動マグネットの存在によりその構造が複雑となり、また電気ポットが大型化することが避けられないという問題があった。
【０００４】
そこで、本願発明の発明者は、インペラーの収納部と電気モータの収納部とを区画する区画壁に電気モータの出力軸を挿通させる挿通孔を設け、この挿通孔からモータの出力軸を突出させ、この出力軸の先端部にインペラーを固着して出力軸の回転によりインペラーを直接回転させる一方、挿通孔を設けたことに伴うインペラー収納部とモータ収納部間のシールは、上記挿通孔と出力軸の間の隙間にシール部材を配設することにより解決する注水装置を提案した（特開２００１−２０４６３０号公報）。
【０００５】
【発明が解決しようとする課題】
本願発明の発明者による上記従来の注水装置は、電気モータの出力軸にインペラーが固着されているため、インペラーを効率よく回転させることができるという利点を有する反面、仮に出力軸を伝って液体が僅かに漏出した場合には、その漏出した液体に起因してモータの回転不良等不具合の発生が懸念され、その耐久性及び信頼性の点で若干問題があった。すなわち、シール部材の経年劣化等に起因して不測にも液体が漏出した場合には、この漏出した液体が出力軸を伝ってモータ本体内部に浸入し、錆等によってモータの回転不良等の不具合を招くおそれがあり、その耐久性及び信頼性の点で若干問題があった。
【０００６】
本発明は、上記の点に鑑みてなされたものであり、簡単かつコンパクトな構成で断熱容器内の液体を効率よく吸引して外部に注水することができ、しかもその耐久性および信頼性を向上させた注水装置を提供することを目的とする。
【０００７】
【課題を解決するための手段】
請求項１に係る発明は、容器内に収容された液体を吸引して外部に注水する注水装置において、ポンプケーシング内をモータ収納部とロータ収納部とに区画しこれらの各収納部間を連通する挿通孔が形成された区画壁と、上記モータ収納部に配設され出力軸が上記挿通孔に挿通される電動モータと、上記ロータ収納部に配設され上記出力軸の先端部に固着されるインペラーと、上記挿通孔と出力軸との間に形成された隙間をシールするシール部材とを備え、上記出力軸における上記区画壁と上記電動モータのモータ本体との間にこの出力軸の全周に亘って水密状に装着され、上記出力軸により回転されるディフュジョン部材が設けられているものである。
【０００８】
上記構成によれば、電動モータの出力軸にインペラーが固着されているので、簡単かつコンパクトな構成でインペラーを効率よく回転駆動させて容器内の液体を外部に注水することができる。また、上記区画壁の挿通孔と電動モータの出力軸との間に形成された隙間が上記シール部材によりシールされる一方、ディフュジョン部材が出力軸の全周に亘って水密状に装着されているので、シール部材が経年劣化等して不測にも液漏れした場合であっても、出力軸を伝ってきた漏液（漏れ出した液体）のモータ本体への浸入が防止される。しかも、このディフュジョン部材は、出力軸と共に回転するので、ディフュジョン部材に付着した漏液は、遠心力によって細分化されながら外周方向に拡散され、気化等して部材間の隙間などから外部に排出される。このため、漏液がモータ本体内に浸入することにより生じる不具合を効果的に防止することができ、その耐久性および信頼性を向上させることができる。
【０００９】
請求項２に係る発明は、請求項１記載の注水装置において、上記ディフュジョン部材は、プレート状に形成されているものである。
【００１０】
上記構成によれば、ディフュジョン部材がプレート状に形成されているので、軸方向長さを可及的に短く形成することができ、よりコンパクトに構成することができる。
【００１１】
請求項３に係る発明は、請求項１または請求項２記載の注水装置において、上記区画壁と上記モータ本体との間におけるポンプケーシングの周側壁には、１個ないし複数個の漏液排出孔が設けられているものである。
【００１２】
上記構成によれば、ディフュジョン部材の外周方向に拡散した水滴等の液滴または水蒸気等の気化した漏液が上記漏液排出孔を介してポンプケーシング内から効率よく排出される。
【００１３】
請求項４に係る発明は、請求項３記載の注水装置において、上記漏液排出孔は、少なくともその一つが上記ディフュジョン部材に対位して形成されているものである。
【００１４】
上記構成によれば、ディフュジョン部材の外周方向に拡散した水滴等の液滴または水蒸気等の気化した漏液が該ディフュジョン部材に対位した漏液排出孔から直ちに排出されるので、漏液をポンプケーシング内からより一層効率よく排出することができる。
【００１５】
請求項５に係る発明は、請求項１ないし請求項４のいずれかに記載の注水装置において、上記ポンプケーシングが、上記出力軸と同軸の円筒状のモータハウジングと、このモータハウジングの前面に取付けられるロータハウジングとから構成される一方、上記ディフュジョン部材が正面視円形状に形成され、このディフュジョン部材の外周が上記モータハウジングの内周に略一致して形成されているものである。
【００１６】
上記構成によれば、ディフュジョン部材の外周が上記モータハウジングの内周に略一致して形成されているので、漏液のモータ本体側への浸入をより一層効果的に防止することができ、また気化した漏液がモータ本体側の出力軸に付着して液化され、この液体がモータ本体内に浸入するといった事態を効果的に防止することができる。従って、より耐久性および信頼性に優れたものとすることができる。
【００１７】
請求項６に係る発明は、請求項１ないし請求項５のいずれかに記載の注水装置において、上記シール部材がリング状のパッキン本体と、このパッキン本体の内周面に突設されたシール用のリップ部とを有し、このパッキン本体とリップ部との間にグリース剤が充填されているものである。
【００１８】
上記構成によれば、簡単な構成で上記挿通孔と出力軸との間の隙間をシールすることができ、しかも、グリース剤の潤滑作用により電動モータの出力軸をスムーズに回転させることができる。
【００１９】
【発明の実施の形態】
図１は、本発明の実施形態に係る注水装置を備えた断熱容器を示している。この断熱容器は、温水等を保温した状態で収容する内側容器１と、この内側容器１の底部等に接続された液体の導入管２と、断熱容器の上部等に設けられた導出部３に液体を供給する液体の供給管４とを有し、上記内側容器１の下方で、かつ上記導入管２と供給管４との間には、内側容器１内の液体を吸引して外部に導出する電動ポンプからなる注水装置５が配設されている。
【００２０】
上記注水装置５は、図２に示すように、ポンプケーシング６内をモータ収納部６ａとロータ収納部６ｂとに区画する区画壁７と、上記モータ収納部６ａに配設された電動モータ８と、上記ロータ収納部６ｂに配設されたインペラー９とを備える。
【００２１】
上記ポンプケーシング６は、図２に示すように、モータ収納部６ａを構成するモータハウジング１２と、上記ロータ収納部６ｂを構成し上記モータハウジング１２の前面にＯリング２４を介して取付けられるロータハウジング１３とからなり、上記モータハウジング１２の前端部外周に設けられたフック部によってロータハウジング１３がモータハウジング１２に係止され、あるいはロータハウジング１３の基端部がモータハウジング１２の前面にボルト止めされるように構成されている。
【００２２】
モータハウジング１２は、図３および図４に示すように、円筒状に形成され、軸方向後部内周には後端部から差し込まれた電動モータ８の前面がボルト止めされるモータ保持壁部１４が形成されている一方、その軸方向前端部内周には該前端部が拡径されて段部１５が形成されている。また、これらのモータ保持壁部１４と段部１５との間における周側壁の頂部には、図２ないし図４に示すように、漏液排出孔２２が該周側壁を貫通して形成されている。この漏液排出孔２２は、漏液をポンプケーシング６外に排出するものであり、好ましくはディフュジョン部材１７、より好ましくはディフュジョン部材１７の前面（ロータ収納部６ｂ側の面）に対位して形成されている。
【００２３】
一方、ロータハウジング１３はモータハウジング１２と同様に円筒状に形成され、図１に示すように、該ハウジング１３は導入管２が接続される吸引部２５と、供給管４が接続される吐出部２６とを備えている。
【００２４】
上記区画壁７は、上記モータハウジング１２の前端開口部に対応して形成された円盤状の形状を呈し、該前端開口部よりも若干小さく形成され、この前端開口部の内周面と区画壁７の外周面との間に遊びが設けられる一方、区画壁７の外縁部がモータハウジング１２の段部１５に当接し得るものとなされている。この区画壁７の中央部には、モータ収納部６ａとロータ収納部６ｂとを連通する挿通孔１０が形成され、この挿通孔１０から電動モータ８の出力軸１１が挿通し得るものとなされている。また、区画壁７には、円筒状のボス部２３が上記挿通孔１０と同軸上に突設され、このボス部２３内には、上記挿通孔１０と電動モータ８の出力軸１１との間に形成される隙間をシールするシール部材１８が配設されている。このシール部材１８は、図３及び図４に示すように、ポリテトラフルオロエチレン（ＰＴＦＥ）等の優れた耐熱性を有するとともに、摩擦係数の小さい合成樹脂材によりリング状に形成されたパッキン本体１９と、このパッキン本体１９の内周面に突設されたシール用のリップ部２０とが一体成形され、このパッキン本体１９とリップ部２０との間にグリース剤２７が充填されている。このグリース剤２７は、耐熱性、対食品性を有するものであり、例えばエスティーティー株式会社が販売する商品名「耐熱グリス２３６」を使用する。なお、このグリース剤２７は、適宜省略することができることはいうまでもない。また、シール材１８の形状も適宜変更される。
【００２５】
上記電動モータ８は、上記出力軸１１と該出力軸１１を回転駆動させるモータ本体２１とを有し、その出力軸１１がモータハウジング１２の軸と同軸となるように上記モータハウジング１２に保持されており、その出力軸１１にディフュジョン部材１７が圧入されている。すなわち、このディフュジョン部材１７は、上記出力軸１１における中間部、より詳しくはモータハウジング８の漏液排出孔２２に対向する出力軸１１部分に配置されている。
【００２６】
このディフュジョン部材１７は、出力軸１１を伝う漏液を塞き止めると共に、回転することにより該漏液を粒状に細分化して、その気化を促しあるいは外周方向に弾き飛ばし、上記出力軸１１に沿ってモータ本体２１に漏液が浸入するのを阻止するものである。ディフュジョン部材１７は、円形プレート状の形状を呈し、その外周がモータハウジング１２の内周に干渉しない程度に可及的に大きく形成され、すなわちその外周がモータハウジング１２の内周と略一致して形成されている。そして、上述のように円形プレート状のディフュジョン部材１７の中心に、電動モータ８の出力軸１１が圧入され、その結果ディフュジョン部材１７が出力軸１１にその全周に亘って水密状に装着され、出力軸１１により回転されるものとなされている。
【００２７】
而して、上記構成の注水装置５を組み立てるには、まず電動モータ８をポンプケーシング６に取付ける。具体的には、モータハウジング１２のモータ保持壁部１４に電動モータ８をその出力軸１１がロータ収納部６ｂ側に指向させた状態でボルト止めして取付ける。続いて、ディフュジョン部材１７を電動モータ８の出力軸１１における所定位置に取付ける。具体的には、ディフュジョン部材１７をその前面が上記漏液排出孔２２に対位する状態に上記出力軸１１に圧入する。
【００２８】
そして、区画壁７の挿通孔１１に出力軸１１を挿通して出力軸１１に対する挿通孔１０の位置決めを行いつつ、区画壁７をモータハウジング１２に配置する。具体的には、ボス部２３内にシール部材１８が配設されている区画壁７をそのボス部２３が形成されている側をモータ本体２１に向け、区画壁７の挿通孔１０およびシール部材１８に出力軸１１を、区画壁７の外周縁部がモータハウジング１２の段部１５に当接される状態にまで差し込む。このとき、区画壁７がモータハウジング１２の前端開口部よりも若干小さく形成されており、すなわち区画壁７外周面とハウジング１２との間に遊びが設けられているので、区画壁７の挿通孔１０に対する出力軸１１の位置決めが確実になされ、出力軸１１が挿通孔１０に対して偏心して取付けられることに起因した液漏れを確実に抑制することができる。つまり、区画壁７を組み付けた後にモータ８を組み付けたのでは、区画壁７の挿通孔１０がモータ８の出力軸１１に対して偏心位置に設けられることがあり、そのため、この偏心に起因する液漏れが生じることが懸念される。この点、本実施形態に係る注水装置は、モータ８を組み付けた後に区画壁７を組み付けるものとなされ、しかも上記のように区画壁７とモータハウジング１２との間に遊びが設けられているので、区画壁７の挿通孔１０を出力軸１１に外嵌して区画壁７を取り付ける際に、区画壁７をその挿通孔１０と出力軸１１とが同心となるように若干移動させることができ、挿通孔１０と出力軸１１の確実な位置決めがなされる。これによりシール部材１８の過度の変形、シール部材１８の早期の摩耗等出力軸１１が挿通孔１０に対して偏心することに起因するお湯漏れを確実に防止することができる。
【００２９】
次に、上記区画壁７の挿通孔１０から突出した出力軸１１先端部にインペラー９を直接固着すると共に、区画壁７周りの隙間をＯリング２４によりシールした状態でロータハウジング１３をモータハウジング１２に取付ける。これにより、区画壁７が両ハウジング１２，１３により挟着されると共に、区画壁７の外周におけるモータハウジング１２との隙間がＯリング２４によりシールされる。
【００３０】
上記構成の注水装置５によれば、上記区画壁７の挿通孔１０に電動モータ８の出力軸１１を挿通させ、この出力軸１１の先端部にインペラー９が固着されているので、マグネットの磁力を利用してインペラーに電動モータの駆動力を間接的に伝達するように構成された注水装置に比べ、簡単かつコンパクトな構成でインペラー９を効率よく回転駆動させることができる。
【００３１】
また、上記区画壁７の挿通孔１０と電動モータ８の出力軸１１との間に形成された隙間が上記シール部材１８によりシールされているので、インペラー９によりロータ収納部６ｂに吸引された液体がモータ収納部６ａに流出する液漏れを防止することができる。しかも、グリース剤２７の潤滑作用により電動モータ８の出力軸１１をスムーズに回転させることができる。
【００３２】
また、注水装置５の長年の使用等により、不測にもシール部材１８が例えばリップ部２０の摩耗、あるいはグリース剤２７の漏出などにより経年劣化し、液体が出力軸１１を伝って漏れ出した場合であっても、ディフュジョン部材１７が出力軸１１の全周に亘って水密状に装着されているので、このディフュジョン部材１７が漏液を塞き止め、しかもディフュジョン部材１７は、出力軸１１により回転されるので、ディフュジョン部材１７は、これに付着した漏液を遠心力によって粒状に細分化しつつ、その気化を促しあるいは拡散するように弾き飛ばし、隙間や漏液排出孔２２などから漏液を排出する。従って、漏液のモータ本体２１への浸入を確実に防止することができると共に、漏液がモータ本体２１内に浸入することにより生じる不具合を効果的に防止することができ、注水装置５の耐久性および信頼性を向上させることができる。
【００３３】
なお、断熱容器には、内側容器１内の液体を加熱、保温するためのヒータ（図示せず）が取付けられており、これに伴って内側容器１外の雰囲気も比較的高温となるので、ディフュジョン部材１７により細分化された漏液はそのほとんどが気化され、モータハウジング１２の周側壁頂部に設けられた漏液排出孔２２から排出される。
【００３４】
さらに、上記ディフュジョン部材１７は、プレート状に形成されているので、出力軸１１方向の長さを可及的に短く形成することができ、よりコンパクトな構成とすることができる。また、ディフュジョン部材１７の外周が上記モータハウジング１２の内周に略一致して形成されているので、漏液のモータ本体２１側への浸入をより一層効果的に防止することができ、また気化した漏液がモータ本体２１側の出力軸１１に付着して液化され、この液体がモータ本体２１内に浸入するといった事態を効果的に防止することができる。従って、簡単な構成でより耐久性および信頼性に優れたものとすることができる。
【００３５】
しかも、この注水装置５は、内側容器１の下方に設けられているので、導入管２から自然落下によって液体が順次ロータ収納部６ｂに供給され、インペラー９による吸引力と相まって効率よく液体を導出部３から排出することができる。
【００３６】
なお、以上に本実施形態に係る注水装置５について説明したが、この発明に係る注水装置は、上記実施形態に限定されるものではなく、その趣旨を逸脱しない範囲で種々の変更が可能である。例えば以下のような変更が可能である。
【００３７】
上記実施形態では、ディフュジョン部材１７は、正面視円形かつプレート状のものを用いたが、ディフュジョン部材の形状はこれに限定されず、例えば正面視形状について矩形、六角形などの多角形、楕円形等を採用し、プレート状のもののほか碗状、球状等のものも採用することができる。ただ、漏液のモータ本体への浸入をより確実に防止することができ、かつコンパクトに構成することができる観点から、正面視円形かつプレート状のものが好ましい。
【００３８】
また、ディフュジョン部材について、その前面または／および後面に羽部を設け、モータ収納部を換気して漏液の気化を促進するように構成してもよい。
【００３９】
さらに、ディフュジョン部材について、その前面に不織布シートを保持させ、この不織布シートに一時的に漏出した液体を含浸させても良い。
【００４０】
一方、上記実施形態では、漏液排出孔２２は、モータハウジング１２の周側壁にただ一つ設けたものを用いたが、該排出孔の個数は、特に限定されるものではなく、複数個設けるものとしてもよい。また、この排出孔の大きさや形状も特に限定されるものではなく、各種大きさ、各種形状のものを用いることができる。
【００４１】
さらに、上記実施形態では、気化された漏液を効率よく排出するという観点から、漏液排出孔２２はディフュジョン部材に対位するモータハウジング１２の周側壁における頂部に形成されたものを用いたが、これに限定されるものではない。漏液排出孔は、モータハウジングの軸方向においては区画壁７からモータ本体２１に至る所定個所に設けられればよく、一方モータハウジングの周方向においては例えば頂部に形成された排出孔に加えあるいは代えて下部、側部に形成されるものであってもよい。モータハウジング１２の下部ないし側部等に漏液排出孔を設ける場合には、その排出孔に対応して漏液受けトレーを設け、該トレーを断熱容器の外部から取り出し得るものとしてもよい。
【００４２】
【発明の効果】
以上に説明したように、本発明は、電動モータの出力軸にインペラーが固着されているので、簡単かつコンパクトな構成でインペラーが効率よく回転駆動されて容器内の液体が外部に注水され、また上記区画壁の挿通孔と電動モータの出力軸との間に形成された隙間が上記シール部材によりシールされると共に、ディフュジョン部材が出力軸の全周に亘って水密状に装着されているので、不測にもシール部材が経年劣化等して漏液した場合であっても、出力軸を伝ってきた漏液のモータ本体への浸入が防止される。しかも、このディフュジョン部材は、出力軸の回転に伴って回転されるので、ディフュジョン部材に付着した漏液は、遠心力によって細分化されながら外周方向に拡散され、気化等して部材間の隙間等から外部に排出される。このため、漏液がモータ本体内に浸入することにより生じる不具合を効果的に防止することができ、その耐久性および信頼性を向上させることができる。
【図面の簡単な説明】
【図１】本発明に係る注水装置を有する断熱容器の概略構成を示す説明図である。
【図２】本発明に係る注水装置の実施形態を示す断面図である。
【図３】本発明に係る注水装置の実施形態を分解し、かつ一部を切欠いた状態で示す要部斜視図である。
【図４】図２における要部拡大図である。
【符号の説明】
５　　注水装置
６　　ポンプケーシング
６ａ　モータ収納部
６ｂ　ロータ収納部
７　　区画壁
８　　電動モータ
９　　インペラー
１０　挿通孔
１１　出力軸
１２　モータハウジング
１３　ロータハウジング
１７　ディフュジョン部材
１８　シール部材
２１　モータ本体
２２　漏液排出孔
【図１】
2004052621.tif 000003
【図２】
2004052621.tif 000004
【図３】
2004052621.tif 000005
【図４】
2004052621.tif 000006